(57)【要約】【課題】本発明は、解像度の低下なしに、アドレス電極の個数を減らして消費電力などを減少させることができるプラズマディスプレイパネルを提供するためのものである。【解決手段】本発明は、最も隣接した３つの副画素が１つの画素をなすプラズマディスプレイパネルにおいて、１つの画素に対して２つのアドレス電極が割り当てられたことを主要旨とする。即ち、本発明によるプラズマディスプレイパネルは、３つの副画素の中、２つの副画素に１つのアドレス電極が共通に割り当てられ、残りの１つの副画素に他の１つのアドレス電極が割り当てられる。このようにして、本発明は１つの画素に２つのアドレス電極が割り当てられることにより、解像度はそのまま維持しながら消費電力、瞬時電力及び発熱量が格段に減少し、またアドレス電極間のピッチも遠ざかることにより、クロストーク現象も格段に減少する。【選択図】図５
2006351514.tif 000002
【特許請求の範囲】
【請求項１】
相対的に幅が広い第１領域と相対的に幅が狭い第２領域とが横方向には相互連通されたままに繰り返されるようにし、縦方向には相互分離されたままに繰り返されるようにして、略メアンダー形態で、かつ、マトリックス形態をなす複数の隔壁と、
前記縦方向に沿って繰り返して形成された第１領域及び第２領域に縦方向に位置した少なくとも１つのアドレス電極と、
を含むことを特徴とするプラズマディスプレイパネル。
【請求項２】
前記隔壁が形成するいずれか１つの横方向の繰り返される第１領域には赤色蛍光層が形成され、
前記赤色蛍光層に最も隣接した他の隔壁が形成する他の横方向の繰り返される第１領域には緑色蛍光層が形成され、
前記緑色蛍光層に最も隣接した他の隔壁が形成する他の横方向の繰り返される第１領域には青色蛍光層が形成されたこと、
を特徴とする請求項１に記載のプラズマディスプレイパネル。
【請求項３】
前記隔壁により分けられる複数の第１領域中、互いに異なる蛍光層が形成された最も隣接した３つの第１領域には２つのアドレス電極が割り当てられたことを特徴とする請求項２に記載のプラズマディスプレイパネル。
【請求項４】
前記隔壁により分けられる複数の第１領域中、互いに異なる蛍光層が形成された最も隣接した３つの第１領域が各々副画素となり、前記３つの副画素が１つの画素となることを特徴とする請求項２に記載のプラズマディスプレイパネル。
【請求項５】
前記１つの画素中、２つの副画素に１つのアドレス電極が共通で割り当てられ、残りの１つの副画素に他の１つのアドレス電極が割り当てられたことを特徴とする請求項４に記載のプラズマディスプレイパネル。
【請求項６】
前記副画素の中、赤色蛍光層及び青色蛍光層を有する２つの副画素に１つのアドレス電極が共通に割り当てられ、残りの１つの緑色蛍光層を有する１つの副画素に他の１つのアドレス電極が割り当てられたことを特徴とする請求項５に記載のプラズマディスプレイパネル。
【請求項７】
前記副画素の中、青色蛍光層及び緑色蛍光層を有する２つの副画素に１つのアドレス電極が共通に割り当てられ、残りの１つの赤色蛍光層を有する１つの副画素に他の１つのアドレス電極が割り当てられたことを特徴とする請求項５に記載のプラズマディスプレイパネル。
【請求項８】
前記副画素の中、緑色蛍光層及び赤色蛍光層を有する２つの副画素に１つのアドレス電極が共通に割り当てられ、残りの青色蛍光層を有する１つの副画素に他の１つのアドレス電極が割り当てられたことを特徴とする請求項５に記載のプラズマディスプレイパネル。
【請求項９】
前記アドレス電極は、前記隔壁の長手方向に対して略交叉する方向に形成されることを特徴とする請求項１に記載のプラズマディスプレイパネル。
【請求項１０】
前記隔壁の長手方向と略平行をなすと共に、前記アドレス電極と略交叉する方向には表示電極が形成されたことを特徴とする請求項１に記載のプラズマディスプレイパネル。
【請求項１１】
前面ガラス基板と、
前記前面ガラス基板の表面に形成された少なくとも１つの表示電極と、
前記表示電極を覆う第１誘電層と、
前記前面ガラス基板に対向して設けられた背面ガラス基板と、
前記背面ガラス基板の中、前記前面ガラス基板の第１誘電層に向いた面に前記表示電極と交叉する方向に形成された少なくとも１つのアドレス電極と、
前記アドレス電極を覆う第２誘電層と、
前記第２誘電層の表面であって、前記アドレス電極と交叉する方向に形成された複数の隔壁を含んでなることを特徴とするプラズマディスプレイパネル。
【発明の詳細な説明】
【技術分野】
【０００１】
本発明は、プラズマディスプレイパネルに関し、より詳しくは、解像度はそのまま維持しながらアドレス電極の個数を減らして消費電力などを減少させることができるプラズマディスプレイパネルに関する。
【背景技術】
【０００２】
一般に、プラズマディスプレイパネルは、ガス放電現象を用いて画像を表示するためのものであって、表示容量、輝度、コントラスト、残像、視野角などの各種表示能力が優れて、ＣＲＴ（Ｃａｔｈｏｄｅ−ｒａｙ  Ｔｕｂｅ）に代わることができる装置として脚光を浴びている。このようなプラズマディスプレイパネルは電極に印加される直流または交流電圧により電極間のガスから放電が発生し、これに伴う紫外線放射によって蛍光体を励起させて発光することになる。
【０００３】
図１は、従来のプラズマディスプレイパネルを概略的に示す分解斜視図である。
【０００４】
図１に示すように、従来のプラズマディスプレイパネル１００'は前面ガラス基板１１０'と背面ガラス基板１４０'とに大別される。
【０００５】
前記前面ガラス基板１１０'の下面には表示放電のための複数の表示電極１２０'（Ｘ表示電極１２１'及びＹ表示電極１２２'）が平行に形成されている。前記表示電極１２０'は全て壁電荷を充電するための第１誘電層１３０'により覆われており、また、前記第１誘電層１３０'の表面には放電から前記表示電極１２０'及び第１誘電層１３０'を保護するための保護層１３５'が形成されている。一方、前記表示電極１２０'の表面には電圧の降下を減らすために低抵抗のバス電極１２１ａ'、１２２ａ'が更に形成されている。
【０００６】
前記背面ガラス基板１４０'の上面にはアドレス信号供給のための複数のアドレス電極１５０'が相互平行に形成されている。また、前記全てのアドレス電極１５０'の表面にはそれを保護するために所定の厚さの第２誘電層１６０'が形成されている。また、前記第２誘電層１６０'の表面には相互対向して所定の大きさの放電領域を形成するように隔壁１７０'が形成されている。ここで、前記アドレス電極１５０'は前記隔壁１７０'間の領域に形成されると共に、前記隔壁１７０'と略平行に形成されている。勿論、前記アドレス電極１５０'は前記表示電極１２０'と略交叉する方向に形成されている。
【０００７】
最近では、前記隔壁１７０'が所定の大きさの放電領域を区画し、縦方向の放電干渉を最小化できるように図１に示すように、メアンダー（ｍｅａｎｄｅｒ、蛇行）形態で形成されている。併せて、前記隔壁１７０'間であって、前記アドレス電極１５０'上の第２誘電層１６０'上には紫外線により励起されて所定の色彩の可視光線を放出する蛍光層１８０'が各々形成されている。例えば、前記蛍光層１８０'は赤色蛍光層１８１'、緑色蛍光層１８２'及び青色蛍光層１８３'でありうる。
【０００８】
図２は、図１に図示されたプラズマディスプレイパネルの中、アドレス電極、表示電極及び隔壁間の関係を示す図式図である。
【０００９】
図２に示すように、前記アドレス電極１５０'はメアンダー形態の隔壁１７０'間にそれと略平行に形成されている。また、前記表示電極１２０'は、前記アドレス電極１５０'及び隔壁１７０'と交叉する方向に形成されている。勿論、前記メアンダー形態の１つの隔壁１７０'間には赤色蛍光層１８１'が形成されており、他の隔壁１７０'間には緑色蛍光層１８２'が形成されており、又他の隔壁１７０'間には青色蛍光層１８３'が形成されている。
【００１０】
ここで、前記図２には７列のアドレス電極１５０'、５行の表示電極１２０'及び１８個の副画素が図示されている。
【００１１】
図３は、図１に図示されたプラズマディスプレイパネルの中、アドレス電極、表示電極及び画素間の関係を示す図式図である。
【００１２】
図３に示すように、従来のアドレス電極１５０'は１つの画素１８４'をなす３つの副画素を中心に見ると、各副画素に各々１つのアドレス電極１５０'が割り当てられる。例えば、１つの副画素をなす赤色蛍光層１８１'に１つのアドレス電極１５０'、他の１つの副画素をなす緑色蛍光層１８２'に他の１つのアドレス電極１５０'、又他の１つの副画素をなす青色蛍光層１８３'に又他の１つのアドレス電極１５０'が各々割り当てられる。
【００１３】
このような従来のプラズマディスプレイパネル１００'は、まず表示電極１２０'の中、Ｘ表示電極１２１'とアドレス電極１５０'との間に放電開始電圧を上回る電圧を印加して、アドレス放電を遂行する。この際、Ｙ表示電極１２２'の電位も適宜に調節することにより、前記Ｘ表示電極１２１'及びＹ表示電極１２２'間にも一時的に放電が発生して各電極の表面に電荷が形成される。このようなアドレス放電によりＸ表示電極１２１'及びＹ表示電極１２２'に形成される電荷を、通常、壁電荷という。アドレス放電後、そのアドレス放電された領域と対応するＸ表示電極１２１'及びＹ表示電極１２２'間に放電開始電圧より低いパルス電圧を印加すると、前記アドレス放電により壁電荷が形成されたＸ表示電極１２１'及びＹ表示電極１２２'間に放電が開始される。このようなＸ表示電極１２１'及びＹ表示電極１２２'間の放電を維持放電といい、アドレス放電により壁電荷が形成された表示電極１２０'でのみ発生する。このような維持放電により放射される紫外線により、結局、蛍光体が励起されることにより、所定の色の可視光線が発生する。
【００１４】
一方、最近では、プラズマディスプレイパネルの解像度を高集積化することにより、順次アドレス電極の個数が増加し、かつ、アドレス電極間のピッチが小さくなっている。ところが、周知のように、アドレス電極間のピッチが近づくことにつれて、アドレス電極間のキャパシタンス値は増加し、前記アドレス電極間には略ＣＶ２ｆで計算されるエネルギーが消耗される。即ち、高解像度のプラズマディスプレイパネルを作るためにはＣＶ２ｆで計算されるアドレス電極の消費電力増加が必須である。さらに、前記アドレス電極には表示電極より遥かに大きい放電電圧が印加されることにより、前記アドレス電極の消費電力増加は直ちにプラズマディスプレイパネル全体の消費電力増加と直結する。ここで、Ｃはアドレス電極間に生成するキャパシタンス値であり、Ｖはアドレス電極に印加される電圧であり、ｆはアドレス電極に印加される周波数である。
【００１５】
一例として、フルＨＤ（Ｆｕｌｌ  ＨＤ）級の場合、横解像度として１９２０個の画素（５７６０個の副画素）を要求している。従って、これを充足させるには、上述のように、全ての副画素毎にアドレス電極が割り当てられるので、そのアドレス電極の個数はおおよそ５７６０個を必要とする。従って、プラズマディスプレイパネルの消費電力が急激に増加することは勿論、アドレス電極の距離が近づくことにより、クロストーク（ｃｒｏｓｓ  ｔｌａｋ）現象も酷く発生する。勿論、これによって、アドレス電極に所定の電圧を印加する回路（例えば、ＴＣＰ；Ｔａｐｅ  Ｃａｒｒｉｅｒ  Ｐａｃｋａｇｅ）が耐えられるべき瞬時電力（または、ピーク電力）も大きくなり、更にその回路またはパネルから発生する熱も急激に増加する問題がある。
【発明の開示】
【発明が解決しようとする課題】
【００１６】
本発明は、上述の従来の問題を克服するためのものであって、同一な解像度を維持しながらもアドレス電極の個数を減らすことにより、消費電力を減少させ、回路が耐えられるべき瞬時電力（または、ピーク電力）を減らし、また、発熱量も減少させることができるプラズマディスプレイパネルを提供することをその目的とする。
【００１７】
本発明の他の目的は、同一な解像度を維持しながらもアドレス電極のピッチを増加させることにより、クロストーク現象を減らすことができるプラズマディスプレイパネルを提供することにある。
【課題を解決するための手段】
【００１８】
前記の目的の達成のために、本発明によるプラズマディスプレイパネルは、相対的に幅が広い第１領域と相対的に幅が狭い第２領域とが横方向には相互連通されたままに繰り返されるようにし、縦方向には相互分離されたままに繰り返されるようにして、略メアンダー形態で、かつ、マトリックス形態をなす複数の隔壁と、前記縦方向に沿って繰り返して形成された第１領域及び第２領域に縦方向に位置した少なくとも１つのアドレス電極とを含む。
【００１９】
また、前記の目的の達成のために、本発明によるプラズマディスプレイパネルは、前面ガラス基板と、前記前面ガラス基板の表面に形成された少なくとも１つの表示電極と、前記表示電極を覆う第１誘電層と、前記前面ガラス基板に対向して設けられた背面ガラス基板と、前記背面ガラス基板の中、前記前面ガラス基板の第１誘電層に向いた面に前記表示電極と交叉する方向に形成された少なくとも１つのアドレス電極と、前記アドレス電極を覆う第２誘電層と、前記第２誘電層の表面であって前記アドレス電極と交叉する方向に形成された複数の隔壁とを含む。
【００２０】
上記のようにして、本発明によるプラズマディスプレイパネルは、アドレス電極とメアンダー及びマトリックス形態の隔壁が略交叉する方向に形成されることにより、アドレス電極の個数をかなり減少させることができることになる。例えば、本発明は最も隣接した３つの副画素に２つのアドレス電極が割り当てられることができる。従って、本発明によるプラズマディスプレイパネルは従来に比べて略２／３のアドレス電極の個数を有することになる。
【００２１】
また、本発明によるプラズマディスプレイパネルは、上記のようにアドレス電極の個数が従来に比べて略２／３に減少することにより、当然にアドレス電極で消費される消費電力も略２／３に減少することになる。
【００２２】
また、本発明によるプラズマディスプレイパネルは、アドレス電極を駆動する１つの回路が耐えられる瞬時電力またはピーク電力も従来に比べて略２／３に減少することになる。
【００２３】
また、本発明によるプラズマディスプレイパネルは、従来と同一な解像度を維持しながらもアドレス電極の個数は減少することにより、自然にアドレス電極間の距離も増加することになる。従って、アドレス電極の相互間に発生するクロストーク現象も格段に減少することになり、さらに発熱量も従来に比べてかなり減少することになる。
【発明の効果】
【００２４】
上述のように、本発明に係るプラズマディスプレイパネルは、アドレス電極とメアンダー形態及びマトリックス形態の隔壁が略交叉する方向に形成されることにより、解像度の低下なしにアドレス電極の個数をかなり減少させることができることになる。例えば、本発明は１つの画素（３つの副画素からなる）に２つのアドレス電極が割り当てられることができる。従って、本発明によるプラズマディスプレイパネルは解像度の低下なしに従来に比べて略２／３のアドレス電極の個数を有する効果がある。
【００２５】
また、本発明によるプラズマディスプレイパネルは、上記のようにアドレス電極の個数が従来に比べて略２／３に減少することにより、当然にアドレス電極で消費される消費電力も略２／３に減少する効果がある。
【００２６】
また、本発明によるプラズマディスプレイパネルは、アドレス電極を駆動する１つの回路が耐えられる瞬時電力またはピーク電力も従来に比べて略２／３に減少する効果がある。
【００２７】
また、本発明によるプラズマディスプレイパネルは、従来と同一な解像度を維持しながらもアドレス電極の個数は減少することにより、自然にアドレス電極間の距離が増加することになる。従って、アドレス電極の相互間に発生するクロストーク現象も格段に減少することになり、さらに発熱量も従来に比べてかなり減少することになる効果がある。
【発明を実施するための最良の形態】
【００２８】
以下、本発明が属する技術分野で通常の知識を有する者が本発明を容易に実施できる程度に、本発明の好ましい実施形態を添付の図面を参照しつつ詳細に説明する。
【００２９】
図４は、本発明によるプラズマディスプレイパネルを概略的に示す分解斜視図である。
【００３０】
図４に示すように、本発明によるプラズマディスプレイパネル１００は、前面ガラス基板１１０と、前記前面ガラス基板１１０に形成された表示電極１２０と、前記表示電極１２０を覆う第１誘電層１３０と、前記前面ガラス基板１１０に対向して設けられる背面ガラス基板１４０と、前記背面ガラス基板１４０に形成されたアドレス電極１５０と、前記アドレス電極１５０を覆う第２誘電層１６０と、前記第２誘電層１６０上に所定の厚さで形成された隔壁１７０と、前記隔壁１７０間に形成された蛍光層１８０を含む。
【００３１】
前記前面ガラス基板１１０は、各種高熱工程で寸法及び形態が変わらない高耐熱性及び高歪点を有する略平板形態のガラスで形成することができる。
【００３２】
前記表示電極１２０は、前記前面ガラス基板１１０の下面に所定のピッチを有して相互平行に形成されている。例えば、前記表示電極１２０は所定のピッチを有して複数の行をなす。このような表示電極１２０は更にＸ表示電極１２１及びＹ表示電極１２２が１対をなす。また、前記表示電極１２０は、光透過性及び伝導性の良いＩＴＯ（ＩｎとＳｎの合金酸化膜）、ネサ膜（ＳｎＯ２）またはその等価物中から選択されたいずれか１つで形成されることができるが、このような材質に本発明を限るのではない。また、このような表示電極１２０は、主にスパッタリング（ｓｐｕｔｔｅｒｉｎｇ）で形成されることができるが、このような形成方法に本発明を限るのではない。また、前記表示電極１２０の表面には電圧降下を防ぐために低抵抗のバス電極１２１ａ、１２２ａが更に形成されることができる。このようなバス電極１２１ａ、１２２ａは、Ｃｒ-Ｃｕ-Ｃｒ、Ａｇ、または、その等価物の中から選択されたいずれか１つで形成されることができるが、このような材質に本発明を限るのではない。
【００３３】
前記第１誘電層１３０は、前記表示電極１２０を含んで前記前面ガラス基板１１０の下面の全体を覆う。このような第１誘電層１３０は低融点ガラス粉末を主成分とするペースト（ｐａｓｔｅ）を前面ガラス基板１１０の下面の全体に均一にスクリーン印刷して形成することができる。このような第１誘電層１３０は周知のように透明体であり、放電時にキャパシターとして作用し、電流を制限する役割とメモリ機能を遂行する。併せて、前記第１誘電層１３０の表面には耐久性を補強し、放電時に多くの２次電子を放出できるように保護膜１３５が更に形成されることができる。このような保護膜１３５は、ＭｇＯ、または、その等価物の中から選択されたいずれか１つを用いて、電子ビーム方式やスパッタリング等で形成できるが、本発明にこのような保護膜の材質及びその形成方法を限るのではない。
【００３４】
前記背面ガラス基板１４０は、前記前面ガラス基板１１０に対向して設けられている。即ち、前記背面ガラス基板１４０は、前記第１誘電層１３０の下に設けられている。このような背面ガラス基板１４０も各種高熱工程で寸法及び形態が変わらない高耐熱性及び高歪点を有する略平板状のガラスで形成されることができる。
【００３５】
前記アドレス電極１５０は、前記背面ガラス基板１４０中、前記前面ガラス基板１１０の第１誘電層１３０に向いた上面に形成されている。このようなアドレス電極１５０は、前記背面ガラス基板１４０の上面に所定のピッチを有して相互平行に形成されている。例えば、前記アドレス電極１５０は所定のピッチを有して複数の列をなす。さらに、このようなアドレス電極１５０は、前記表示電極１２０に対して略交叉する方向に形成されている。例えば、前記アドレス電極１５０は表示電極１２０に対して略直交する方向に形成することができる。下記のように、前記アドレス電極１５０は隔壁１７０に対しても略交叉する方向に形成されている。勿論、前記表示電極１２０は前記隔壁１７０と略平行をなす。このようなアドレス電極１５０はＡｇペーストまたはその等価物を用いたスクリーン印刷法、写真エッチング技術などにより形成されることができるが、本発明に前記アドレス電極１５０の材質及び形成方法を限るのではない。このようなアドレス電極１５０、隔壁１７０及び表示電極１２０間の相互関係は下記で、より詳細に説明する。
【００３６】
前記第２誘電層１６０は、前記アドレス電極１５０を含んで前記背面ガラス基板１４０の上面の全体を覆っている。このような第２誘電層１６０も前記第１誘電層１３０と類似または同一な材質で形成されることができる。
【００３７】
前記隔壁１７０は、前記第２誘電層１６０の表面に形成されている。このような隔壁１７０は前記アドレス電極１５０に対しては交叉または直交する方向に、前記表示電極１２０に対しては略平行した方向に形成されている。より具体的には、前記隔壁１７０は略横方向に所定の長さだけ延びており、略縦方向に沿って所定のピッチをなして複数形成されることができる。併せて、このような隔壁１７０は２枚の前面ガラス基板１１０と背面ガラス基板１４０の間隔を維持して、放電領域を確保する役割をする。また、このような隔壁１７０は低融点ガラス粉末ペーストまたはその等価物をスクリーン印刷法、サンドブラスト法、または、リフトオフ法等により形成できるが、本発明にこのような隔壁１７０の材質または形成方法を限るのではない。
【００３８】
前記蛍光層１８０は前記隔壁１７０間の領域及び第２誘電層１６０上に所定の厚さで形成されている。このような蛍光層１８０は放電時に発生した紫外線により励起されることにより、所定の色の可視光を放出する役割をする。勿論、前記蛍光層１８０としていずれかの２つの隔壁１７０間には赤色蛍光層１８１が形成され、次の隔壁１７０間には緑色蛍光層１８２が形成され、またその次の隔壁１７０間には青色蛍光層１８３が形成されることができる。しかしながら、このような蛍光層１８０の形成順序に本発明を限るのではなくて、この他にも多様な順序で各々異なる蛍光層１８０が形成されることができる。
【００３９】
図５は、図４に図示されたプラズマディスプレイパネルの中、アドレス電極、表示電極及び隔壁間の関係を示す図式図である。
【００４０】
図５に示すように、前記表示電極１２０及び隔壁１７０と、前記アドレス電極１５０は、略交叉する方向または直交する方向に形成されており、また前記表示電極１２０と隔壁１７０は略平行に形成されている。
【００４１】
ここで、互いに対向する２つの隔壁１７０は相対的に幅が広い第１領域１７１と相対的に幅が狭い第２領域１７２が連通されたままに繰り返されて横方向に所定の長さだけ形成されている。勿論、上述のように、前記隔壁１７０は幅が広い第１領域１７１と相対的に幅が狭い第２領域１７２が分離したままに繰り返されて縦方向に所定の長さだけ形成されている。即ち、前記隔壁１７０は縦方向に所定ピッチを有して縦方向に複数個形成されている。従って、このような隔壁１７０はメアンダー（ｍｅａｎｄｅｒ）形態で、かつ、マトリックス（ｍａｔｒｉｘ）形態をなす。
【００４２】
併せて、上述のように、互いに対向する２つの隔壁１７０間には、例えば、赤色蛍光層１８１が形成されることができる。また、その次の行の隔壁１７０間には、例えば、緑色蛍光層１８２が形成されることができる。併せて、その次の行の隔壁１７０間には、例えば、青色蛍光層１８３が形成されることができる。
【００４３】
ここで、前記隔壁１７０により形成され、最も近く形成されると共に、互いに異なる蛍光層１８０が形成された３つの第１領域１７１を３つの副画素と定義することができる。このような３つの副画素は略三角形態をなす。また、このような３つの副画素を再び１つの画素１８４と定義することができる。
【００４４】
前記アドレス電極１５０は、前記のような構造をなす隔壁１７０の長手方向（横方向）に対して略交叉する方向に、または、略直交する方向に形成されている。例えば、前記横方向の隔壁１７０が形成する第１領域１７１に交叉する方向に１番目のアドレス電極１５０が縦方向に所定の長さを有して形成されることができる。次に、横方向の同一な隔壁１７０が形成する第２領域１７２に交叉する方向に２番目のアドレス電極１５０が縦方向に所定の長さを有して形成されることができる。この際、前記アドレス電極１５０は互いに対向する２つの隔壁１７０間に形成された１つの共通蛍光層、例えば、赤色蛍光層１８１に対して略交叉する方向または直交する方向に形成されることができる。
【００４５】
言い換えると、図５の中で、最も左側の１番目のアドレス電極１５０は、縦方向に所定のピッチを有して配列された複数の隔壁１７０が形成する１番目の第１領域１７１（例えば、赤色蛍光層１８１が形成されている）、２番目の第２領域１７２（例えば、緑色蛍光層１８２が形成されている）、３番目の第１領域１７１（例えば、青色蛍光層１８３が形成されている）などに沿って縦方向に所定の長さが形成されることができる。
【００４６】
次に、左側から２番目のアドレス電極１５０は、１番目の第２領域１７２（例えば、赤色蛍光層１８１が形成されている）、２番目の第１領域１７１（例えば、緑色蛍光層１８２が形成されている）、３番目の第２領域１７２（例えば、青色蛍光層１８３が形成されている）などに沿って縦方向に所定の長さが形成されることができる。
【００４７】
このようにして、１つの画素１８４に２つのアドレス電極１５０が割り当てられることが分かる。即ち、３つの副画素に２つのアドレス電極１５０が割り当てられることができる。例えば、縦方向である２つの第１領域１７１に各々形成された赤色蛍光層１８１及び青色蛍光層１８３に１番目のアドレス電極１５０が割り当てられて、残りの１つの第１領域１７１に形成された緑色蛍光層１８２に２番目のアドレス電極１５０が割り当てられることができる。また、縦方向である１つの第１領域１７１に形成された青色蛍光層１８３に１番目のアドレス電極１５０が割り当てられ、残りの２つの第１領域１７１に各々形成された緑色蛍光層１８２及び赤色蛍光層１８１に２番目のアドレス電極１５０が共通に割り当てられることができる。併せて、縦方向である２つの第１領域１７１に各々形成された緑色蛍光層１８３及び青色蛍光層１８２に１番目のアドレス電極１５０が割り当てられ、残りの１つの第１領域１７１に形成された赤色蛍光層１８１に２番目のアドレス電極１５０が割り当てられることができる。
【００４８】
一方、表示電極１２０は、互いに対向する隔壁１７０に沿って略平行に横方向に形成されることができる。勿論、前記表示電極１２０はＸ表示電極及びＹ表示電極を含む。例えば、１番目の表示電極１２０は互いに対向する隔壁１７０間に形成された赤色蛍光層１８１に沿って横方向に所定の長さを有して形成されることができる。次に、２番目の表示電極１２０は次の順序で対向する隔壁１７０間に形成された緑色蛍光層１８２に沿って横方向に所定の長さを有して形成されることができる。また、３番目の表示電極１２０は、次の順序で対向する隔壁１７０間に形成された青色蛍光層１８３に沿って横方向に所定の長さを有して形成されることができる。
【００４９】
勿論、このような表示電極１２０はアドレス電極１５０に対して略交叉する方向または直交する方向に形成されている。併せて、本発明は、前記表示電極１２０とアドレス電極１５０、または、アドレス電極１５０と隔壁１７０との間に形成される交叉角度を限るのではなくて、このような交叉角度は多様に変更可能である。
【００５０】
図６は、図４に図示されたプラズマディスプレイパネルの中、アドレス電極、表示電極及び画素間の関係を示す図式図である。
【００５１】
図６を参照すれば、３つの副画素が１つの画素１８４をなしている。勿論、各々の副画素には、赤色蛍光層１８１、緑色蛍光層１８２及び青色蛍光層１８３が各々形成されている。このような３つの副画素は上述のように隔壁１７０が形成する第１領域１７１により各々形成される領域である。１つの画素１８４を基準として表示電極１２０とアドレス電極１５０との間の関係を見ると、まず１つの画素１８４に４つの表示電極１２０及び２つのアドレス電極１５０が割り当てられている。
【００５２】
例えば、縦方向の赤色蛍光層１８１が形成された副画素及び青色蛍光層１８３が形成された副画素に１番目のアドレス電極１５０が縦方向に割り当てられ、次の縦方向の緑色蛍光層１８２を有する副画素に２番目のアドレス電極１５０が縦方向に割り当てられている。即ち、従来では１つの画素に３つのアドレス電極１５０が割り当てられていたが、本発明は１つの画素１８４に２つのアドレス電極１５０が割り当てられている。また、横方向の赤色蛍光層１８１が形成された副画素に１番目及び２番目の表示電極１２０が横方向に割り当てられ、次の横方向の緑色蛍光層１８２が形成された副画素に２番目及び３番目の表示電極１２０が横方向に割り当てられ、次の横方向の青色蛍光層１８３が形成された副画素に３番目及び４番目の表示電極１２０が横方向に割り当てられている。
【００５３】
前記のようにして、本発明によるプラズマディスプレイパネル１００は従来に比べて略２／３のアドレス電極１５０の個数を有することになる。勿論、このように、アドレス電極１５０の個数が減少するとしても、プラズマディスプレイパネル１００の解像度が低下するのではない。即ち、面倒ではあるが、図５を更に参照すれば、従来と同一な面積で、従来のように１８個の副画素が形成されていることが見られる。
【００５４】
従って、本発明によるプラズマディスプレイパネル１００は、従来と同一な解像度を維持しながらもアドレス電極１５０の個数は従来に比べて略２／３に減少する。勿論、このようにして、消費電力も略２／３に減少する。さらに、前記アドレス電極１５０を駆動するための１つの回路が耐えられる瞬時電力またはピーク電力も従来に比べて略２／３に減少する。併せて、本発明によるプラズマディスプレイパネル１００は当然に熱放出率も従来に比べて格段に小さくなる。
【００５５】
併せて、本発明によるプラズマディスプレイパネル１００は、同一な面積でアドレス電極１５０の個数が減少することにより、アドレス電極１５０間のピッチは当然に大きくなることになる。従って、アドレス電極１５０間で発生するクロストーク現象も格段に減少することになる。
【００５６】
以上、説明したことは、本発明に係るプラズマディスプレイパネルを実施するための一実施形態に過ぎないものであって、本発明は、前記の実施形態に限るのではなく、特許請求範囲から請求するように、当該発明が属する分野で通常の知識を有する者であれば、本発明の要旨を外れない範囲で、誰でも多様な変更、追加、置換が可能であるということを評価するだろう。
【図面の簡単な説明】
【００５７】
【図１】従来のプラズマディスプレイパネルを概略的に示す分解斜視図である。
【図２】図１に図示されたプラズマディスプレイパネル中、アドレス電極、表示電極及び隔壁間の関係を示す図式図である。
【図３】図１に図示されたプラズマディスプレイパネル中、アドレス電極、表示電極及び画素間の関係を示す図式図である。
【図４】本発明によるプラズマディスプレイパネルを概略的に示す分解斜視図である。
【図５】図４に図示されたプラズマディスプレイパネル中、アドレス電極、表示電極及び隔壁間の関係を示す図式図である。
【図６】図４に図示されたプラズマディスプレイパネル中、アドレス電極、表示電極及び画素間の関係を示す図式図である。
【符号の説明】
【００５８】
１００  プラズマディスプレイパネル
１１０  前面ガラス基板
１２０  表示電極
１２１  Ｘ表示電極
１２２  Ｙ表示電極
１２１ａ、１２２ａ  バス電極
１３０  第１誘電層
１４０  背面ガラス基板
１５０  アドレス電極
１６０  第２誘電層
１７０  隔壁
１７１  第１領域
１７２  第２領域
１８０  蛍光層
１８１  赤色蛍光層
１８２  緑色蛍光層
１８３  青色蛍光層
１８４  画素
【図１】
2006351514.tif 000003
【図２】
2006351514.tif 000004
【図３】
2006351514.tif 000005
【図４】
2006351514.tif 000006
【図５】
2006351514.tif 000007
【図６】
2006351514.tif 000008